(57)【要約】【課題】従来の印象用トレー洗浄剤よりアルギン酸塩印象材の除去効果が優れ、繰返しの使用においても洗浄効果が持続し、金属製の印象用トレーの腐食も起こし難い印象用トレー洗浄剤組成物を提供する。【解決手段】それぞれ金属イオンと水中にてキレート化合物を形成する、アミノカルボン酸系キレート剤，ポリリン酸系キレート剤，ヒドロキシカルボン酸，ヒドロキシカルボン酸塩より選ばれる１種又は２種以上の化合物１〜６０重量％と水とを主成分とし、更にホスホン酸化合物を０.１〜３０重量％含有させて印象用トレー洗浄剤組成物とする。ホスホン酸化合物は、１−ヒドロキシエチリデン−１，１−ジホスホン酸、アミノトリエチレンホスホン酸、Ｎ,Ｎ,Ｎ',Ｎ'−テトラキス（ホスホノメチル）エチレンジアミンなどのホスホン酸及びそのアルカリ金属塩のいずれかが好ましい。【選択図】なし【特許請求の範囲】
【請求項１】
それぞれ金属イオンと水中にてキレート化合物を形成する、アミノカルボン酸系キレート剤，ポリリン酸系キレート剤，ヒドロキシカルボン酸，ヒドロキシカルボン酸塩より選ばれる１種又は２種以上の化合物１〜６０重量％と水とを主成分とし、更にホスホン酸化合物を０.１〜３０重量％含有することを特徴とする印象用トレー洗浄剤組成物。
【請求項２】
ホスホン酸化合物が、１−ヒドロキシエチリデン−１，１−ジホスホン酸、アミノトリエチレンホスホン酸、Ｎ,Ｎ,Ｎ',Ｎ'−テトラキス（ホスホノメチル）エチレンジアミンなどのホスホン酸及びそのアルカリ金属塩のいずれかである請求項１に記載の印象用トレー洗浄剤組成物。
【発明の詳細な説明】
【技術分野】
【０００１】
本発明は、印象用トレーに盛り上げて口腔内の印象採得を行った硬化した歯科用アルギン酸塩印象材を印象用トレーより剥がし取った後に、その印象用トレー表面を洗浄する目的で使用する印象用トレー洗浄剤組成物に関するものである。
【背景技術】
【０００２】
歯科用補綴物を作製する歯科治療において、口腔内の印象を採得する印象材としてはアルギン酸塩を含有したアルギン酸塩印象材が広く用いられている。このアルギン酸塩印象材としては、アルギン酸塩，石こうに代表されるゲル化反応剤，ゲル化調整剤及び充填材を主成分とする粉末から成り、水と混合・練和することにより硬化させるものと、アルギン酸塩，ゲル化調整剤、充填材及び水から成るペーストに石こうのような粉末状のゲル化反応剤を混合・練和することにより硬化させるものと、アルギン酸塩を水に溶解させたものにゲル化調整剤と付形性及び硬さを付与させるための充填材とを加えた主剤ペーストと、硬化剤となる硫酸カルシウムと流動パラフィンのような液状物質との混合物から成る硬化剤ペーストとの２種類のペーストを混合・練和することにより硬化させるものとがある。
【０００３】
これらのアルギン酸塩印象材は、何れも印象用トレーに混合・練和したアルギン酸塩印象材を盛り上げ、口腔内に挿入して印象を採得しようとする部位に圧接して硬化させた後、口腔内より取り出し、石こうを水で混合・練和した石こう泥を硬化した印象材の周囲に流し込んで口腔内の石こう模型を作製するために使用される。石こうが硬化した後は、印象用トレーを再使用するために、硬化したアルギン酸塩印象材を印象用トレーより剥がし取り、印象用トレーの表面に付着している硬化したアルギン酸塩印象材を取り除く必要がある。この際に用いるものが印象用トレー洗浄剤であり、現在、粉末を水に溶解させて使用するものと、液状で原液のまま又は希釈した状態で使用するものとがある。
【０００４】
このような印象用トレー洗浄剤としては、エチレンジアミン四酢酸塩等のカルシウムイオンと水溶性キレート化合物を形成する化合物と、リン酸水素二ナトリウム，リン酸水素二カリウム，オルト珪酸カリウム等のリン酸のアルカリ金属塩及び／又は珪酸のアルカリ金属とを含んでなる組成物（例えば、特許文献１参照。）や、エチレンジアミン四酢酸又はその金属塩と、アルカリ金属とアルカリ土類金属の炭酸塩および過炭酸塩の１種または２種以上と、アミノ酸類の両性界面活性剤のアルカリ金属塩を配合したもの（例えば、特許文献２参照。）等が提案されている。
【０００５】
しかし、これらの印象用トレー洗浄剤はアルギン酸塩印象材の除去効果が充分ではないため、実際には印象用トレーを印象用トレー洗浄剤に浸漬する前に硬化したアルギン酸塩印象材を予め或る程度除去しておくことが必要があった。また、通常印象用トレー洗浄剤は１回の使用で廃棄するのでは不経済であるため、印象採得毎に繰り返し使用されるが、現在使用されている印象用トレー洗浄剤はその洗浄効果が持続しないため効率的でない。また、現在歯科で使われている印象用トレーの大部分は、銅合金にニッケルメッキを施し更にハンダ付けした網トレーや、スズを主体とした合金，ステンレス，アルミニウムなどの金属製トレーであり、これらの印象用トレーを印象用トレー洗浄剤に浸漬すると印象用トレー洗浄剤中のキレート剤により金属表面が合着部に腐食が発生するという問題もあった。
【０００６】
このように従来の主として硬化したアルギン酸塩印象材を除去するための印象用トレー洗浄剤は、洗浄効果が充分ではないため、印象用トレーを印象用トレー洗浄剤中に浸漬前に予め或る程度のアルギン酸塩印象材を除去しておく必要があると共に、繰り返しの使用において洗浄効果が持続しないため効率的ではなく、従って印象用トレーの洗浄が煩雑なものとなっていることもあって特に金属製の印象用トレーでは腐食が発生し易くなるという問題があったのである。
【０００７】
【特許文献１】特開２００４−１６８８１５号公報
【特許文献２】特開平８−３５８８号公報
【発明の開示】
【発明が解決しようとする課題】
【０００８】
本発明は、前記した如き従来の印象用トレー洗浄剤の問題点を解消し、従来の印象用トレー洗浄剤よりアルギン酸塩印象材の除去効果が優れ、繰返しの使用においても洗浄効果が持続し、金属製の印象用トレーの腐食も起こし難い印象用トレー洗浄剤を提供すること課題とする。
【課題を解決するための手段】
【０００９】
本発明者らは前記課題を解決すべく鋭意研究の結果、従来の印象用トレー洗浄剤と同様に金属イオンと水中にてキレート化合物を形成するキレート剤を含有する印象用トレー洗浄剤中にホスホン酸化合物を所定量含有させれば、従来の印象用トレー洗浄剤より硬化したアルギン酸塩を除去する効果が高く、繰返しの使用においても洗浄効果が持続し、金属製の印象用トレーの腐食も起こし難くすることができることを究明して本発明を完成したのである。
【００１０】
即ち本発明は、それぞれ金属イオンと水中にてキレート化合物を形成する、アミノカルボン酸系キレート剤，ポリリン酸系キレート剤，ヒドロキシカルボン酸，ヒドロキシカルボン酸塩より選ばれる１種又は２種以上の化合物１〜６０重量％と水とを主成分とし、更にホスホン酸化合物を０.１〜３０重量％含有することを特徴とする印象用トレー洗浄剤組成物である。
【００１１】
そして上記した本発明に係る印象用トレー洗浄剤組成物に使用されるホスホン酸化合物としては、１−ヒドロキシエチリデン−１，１−ジホスホン酸、アミノトリエチレンホスホン酸、Ｎ,Ｎ,Ｎ',Ｎ'−テトラキス（ホスホノメチル）エチレンジアミンなどのホスホン酸及びそのアルカリ金属塩のいずれかが好ましく使用できる。
【発明の効果】
【００１２】
本発明に係る印象用トレー洗浄剤組成物は、従来の印象用トレー洗浄剤よりアルギン酸塩印象材の除去効果が優れ、繰り返しの使用においても洗浄効果が持続し、金属製の印象用トレーの腐食も起こし難いという効果を有する。
【発明を実施するための最良の形態】
【００１３】
本発明に係る印象用トレー洗浄剤組成物は、それぞれ金属イオンと水中にてキレート化合物を形成する、アミノカルボン酸系キレート剤，ポリリン酸系キレート剤，ヒドロキシカルボン酸，ヒドロキシカルボン酸塩より選ばれる１種又は２種以上の化合物１〜６０重量％と水とを主成分とし、更にホスホン酸化合物を０.１〜３０重量％含有することを特徴とするものである。
【００１４】
金属イオンと水中にてキレート化合物を形成するアミノカルボン酸系キレート剤としては、エチレンジアミン四酢酸、ニトリロ三酢酸、ジエチレントリアミン五酢酸、ヒドロキシエチルエチレンジアミン三酢酸、メチルグリシン二酢酸及びこれらの化合物のアルカリ金属塩が好ましく使用される。
【００１５】
金属イオンと水中にてキレート化合物を形成するポリリン酸系キレート剤としては、トリポリリン酸、メタリン酸、ピロリン酸、ヘキサメタリン酸及びこれらのアルカリ金属塩が好ましく使用される。
【００１６】
また、金属イオンと水中にてキレート化合物を形成するヒドロキシカルボン酸及びそのアルカリ金属塩としては、クエン酸、酒石酸、グルコン酸及びそのアルカリ金属塩が好ましく使用される。
【００１７】
これらの金属イオンと水中にてキレート化合物を形成する物質は、硬化した歯科用アルギン酸塩印象材（アルギン酸カルシウム）を溶解させることを目的として含有されており、本発明に係る印象用トレー洗浄剤組成物中の含有量は１〜６０重量％である。その含有量は１重量％未満では硬化した歯科用アルギン酸塩印象材を溶解させる効果が少なく、６０重量％を超えるとその濃度が高すぎるため特に金属製の印象用トレーが腐食し易くなるので好ましくない。
【００１８】
本発明に係る印象用トレー洗浄剤組成物は、上記金属イオンと水中にてキレート化合物を形成する物質と水とを主成分とするが、この水は、イオン交換水、蒸留水等が使用でき、また次亜鉛素酸ナトリウム等により殺菌処理を行った水を用いてもよい。
【００１９】
このような金属イオンと水中にてキレート化合物を形成する物質と水とを主成分としただけの従来の印象用トレー洗浄剤は、前述した特許文献１のように更にリン酸のアルカリ金属塩を含有させたり、前述した特許文献２のように更にアルカリ性炭酸塩及び界面活性剤を含有させても、硬化したアルギン酸塩印象材の除去効果が不十分であり、繰返しの使用においても洗浄効果が低下し、印象用トレーの腐食も発生していたので、これらの欠点を改善するため本発明に係る印象用トレー洗浄剤組成物は更にホスホン酸化合物を０.１〜３０重量％含有させるのである。
【００２０】
このホスホン酸化合物としては、１−ヒドロキシエチリデン−１，１−ジホスホン酸、アミノトリエチレンホスホン酸、Ｎ,Ｎ,Ｎ',Ｎ'−テトラキス（ホスホノメチル）エチレンジアミンなどのホスホン酸及びそのアルカリ金属塩が好ましく使用される。
【００２１】
このホスホン酸化合物の含有量が０.１重量％未満であると硬化したアルギン酸塩印象材の除去効果が充分ではなく、３０重量％を超えると手指への刺激が大きくなってしまうため好ましくない。
【００２２】
尚、本発明に係る印象用トレー洗浄剤組成物には、界面活性剤，ＰＨ調整剤，着色剤，香料など公知の添加剤を本発明の効果を損なわない範囲で使用してもよい。
【実施例】
【００２３】
次に本発明について実施例を挙げ、詳細に説明するが、これ等に限定されるものではない。
【００２４】
〈実施例１〉
エチレンジアミン四酢酸四ナトリウム                    １３（重量％）
クエン酸三ナトリウム                                  １５
グルコン酸ナトリウム                                  １０
アミノトリエチレンホスホン酸                            ２
蒸留水                                                ６０
上記各成分をマグネチックスターラーを用いて１リットルの印象トレー用洗浄剤組成物を作製した。
【００２５】
〈実施例２〉
エチレンジアミン四酢酸三ナトリウム                              １５（重量％）
グルコン酸ナトリウム                                            １０
トリポリリン酸ナトリウム                                        １０
Ｎ,Ｎ,Ｎ',Ｎ'−テトラキス（ホスホノメチル）エチレンジアミン       ５
蒸留水                                                          ６０
上記各成分をマグネチックスターラーを用いて１リットルの印象トレー用洗浄剤組成物を作製した。
【００２６】
〈実施例３〉
エチレンジアミン四酢酸四ナトリウム                    ２０（重量％）
クエン酸三ナトリウム                                  ２０
１−ヒドロキシエチリデン−１，１−ジホスホン酸        １０
蒸留水                                                ５０
上記各成分をマグネチックスターラーを用いて１リットルの印象トレー用洗浄剤組成物を作製した。
【００２７】
〈比較例１〉
エチレンジアミン四酢酸四ナトリウム                    １５（重量％）
クエン酸三ナトリウム                                  ２０
蒸留水                                                ６５
上記各成分をマグネチックスターラーを用いて１リットルの印象トレー用洗浄剤組成物を作製した。
【００２８】
〈比較例２〉
エチレンジアミン四酢酸四ナトリウム                    １５（重量％）
トリポリリン酸ナトリウム                              ２０
蒸留水                                                ６５
上記各成分をマグネチックスターラーを用いて１リットルの印象トレー用洗浄剤組成物を作製した。
【００２９】
〈印象材の除去性試験〉
アルギン酸塩印象材（商品名：アローマファインＤＦIII，ジーシー社製）の粉末１６.８ｇに対し蒸留水４０ｍｌを混合・練和し、インプレッショントレー（穴あき，ジーシー社製）に注入した。次にこのトレーを口腔内に挿入して上顎内面に圧接し、上顎全体の印象を採得した。その後、印象材の除去性を評価するため、硬化した印象材を除去することなくトレーを前記した各印象用トレー洗浄剤組成物中に１時間浸漬した後、印象材をトレーより指で軽く除去した。この時、印象材が完全に除去でき、トレー表面が明瞭に観察できたものを○、半分程度除去できたものを△、トレー全面に固着した印象材が残っていたものを×とした。
【００３０】
〈洗浄剤の洗浄効果の持続性試験〉
また洗浄剤の洗浄効果の持続性を評価するため、前記した各印象用トレー洗浄剤組成物を用い前記した印象材の除去性試験をそれぞれ新しい印象用トレーについて１０回繰り返し、トレー全面に固着した印象材が残った状態になるまでの回数を調べた。
【００３１】
〈印象用トレーの腐食のし難さ試験〉
次に洗浄剤の印象用トレーの腐食のし難さを評価するため、前記した各印象用トレー洗浄剤組成物を用い前記した印象材の除去性試験を１０回繰り返した。尚、この試験においては同じ印象用トレーを繰り返し使用し、印象材が除去できない部分が生じた場合はスパチュラ等を用い機械的に除去して使用した。この際、１０回繰返し使用の後、印象用トレーの腐食の状況を目視にて確認し、初期の状況より変化しておらず黒変が生じていないものを○、金属光沢はあるものの印象用トレー表面が黒変しているのが明瞭に判るものを△、金属光沢がなくなり黒変しているものを×とした。
【００３２】
以上の試験結果、即ち印象材の除去性、洗浄剤の洗浄効果の持続性、印象用トレーの腐食のし難さについての試験結果を表１に示す。
【００３３】
【表１】
2007099805.tif 000002
【００３４】
上記表１より明らかなように、アミノカルボン酸系キレート剤、ポリリン酸系キレート剤、ヒドロキシカルボン酸塩と水とを含有し、更にホスホン酸化合物を含有している実施例１，２及び３の本発明に係る印象用トレー洗浄剤組成物は、硬化したアルギン酸塩印象材の除去性に優れ、しかも繰り返して使用してもその除去性は低下せず、印象用トレーの黒変等の金属の腐食も発生しないのに対し、アミノカルボン酸系キレート剤とヒドロキシカルボン酸塩又はポリリン酸系キレート剤と水のみを含有した比較例１及び２の印象用トレー洗浄剤組成物は、共に耐久性が劣っているばかりでなく、硬化したアルギン酸塩印象材の除去性が不十分であり、しかも洗浄剤の耐久性や印象用トレーの腐食のし難さにおいても問題が生じる状態となっており、この試験結果よりホスホン酸化合物を含有させた本発明に係る印象用トレー洗浄剤組成物の効果は明らかである。